(57)【要約】　　　（修正有）【課題】着信履歴として残った履歴を新しい履歴データに上書きされて消されてしまっても、その履歴データを確認可能な通信端末装置を提供する。【解決手段】制御装置１４は着信履歴データＡを生成すると、記憶装置部（＃１）１５の保存件数がＭ件未満の時、生成した着信履歴データＡを記憶装置部（＃１）１５に格納する。制御装置１４は記憶装置部（＃１）１５の保存件数がＭ件の時、記憶装置部（＃１）１５に保存されているＭ件分の着信履歴データを無線部１２及び転送部１３を介してネットワークサーバへ転送する。ネットワークサーバは転送されてきたＭ件分の着信履歴データをＰＣを通して外部記憶装置の記憶装置部（＃２）に格納する。【選択図】　　　図２
2004080225.tif 000002
【特許請求の範囲】
【請求項１】
着信の履歴データを内部メモリに格納する通信端末装置であって、前記着信時に前記内部メモリの蓄積件数が予め設定した特定件数か否かを判定する手段と、前記内部メモリの蓄積件数が前記特定件数と判定した時に前記履歴データを予め配設された他の記憶装置に格納する手段とを有することを特徴とする通信端末装置。
【請求項２】
前記内部メモリは、自装置に着脱自在な記憶媒体であることを特徴とする請求項１記載の通信端末装置。
【請求項３】
前記他の記憶装置は、自装置が接続されるネットワークに接続される外部記憶装置であることを特徴とする請求項１記載の通信端末装置。
【請求項４】
前記他の記憶装置は、前記内部メモリとともに自装置内に配置されたことを特徴とする請求項１記載の通信端末装置。
【請求項５】
着信の履歴データを内部メモリに格納する通信端末装置の着信・受信履歴データ保護方法であって、前記着信時に前記内部メモリの蓄積件数が予め設定した特定件数か否かを判定するステップと、前記内部メモリの蓄積件数が前記特定件数と判定した時に前記履歴データを予め配設された他の記憶装置に格納するステップとを有することを特徴とする着信・受信履歴データ保護方法。
【請求項６】
前記内部メモリは、自装置に着脱自在な記憶媒体であることを特徴とする請求項５記載の着信・受信履歴データ保護方法。
【請求項７】
前記他の記憶装置は、自装置が接続されるネットワークに接続される外部記憶装置であることを特徴とする請求項５記載の着信・受信履歴データ保護方法。
【請求項８】
前記他の記憶装置は、前記内部メモリとともに自装置内に配置されたことを特徴とする請求項５記載の着信・受信履歴データ保護方法。
【請求項９】
着信の履歴データを内部メモリに格納する通信端末装置の着信・受信履歴データ保護方法のプログラムであって、コンピュータに、前記着信時に前記内部メモリの蓄積件数が予め設定した特定件数か否かを判定する処理と、前記内部メモリの蓄積件数が前記特定件数と判定した時に前記履歴データを予め配設された他の記憶装置に格納する処理とを実行させるためのプログラム。
【発明の詳細な説明】
【０００１】
【発明の属する技術分野】
本発明は通信端末装置及びそれに用いる着信・受信履歴データ保護方法並びにそのプログラムに関し、特に通信端末における着信履歴データの保存方法に関する。
【０００２】
【従来の技術】
従来、この種の着信履歴データの保存方法としては、着信発生時に、発生した着信が保存時要件を満たしているか否かを判定し、保存条件を満たしている着信であれば、その着信に係る着信履歴データを保存することで、特定の保存条件を満たす着信に係る着信履歴データのみを保存する方法がある（例えば、特許文献１参照）。
【０００３】
また、他の着信履歴データの保存方法としては、着信履歴エリアに着信電話データを格納することを拒否する発信者電話番号を予め拒否特定番号として登録し、着信時に通知された発信者電話番号と拒否特定番号とを比較し、不一致時のみ着信電話データを格納することで、必要な着信電話データのみを着信履歴エリアに格納することのできる方法がある（例えば、特許文献２参照）。
【０００４】
【特許文献１】
特開２００１−２１７９１９号公報
【０００５】
【特許文献２】
特開２００１−１１１６５８号公報
【０００６】
【発明が解決しようとする課題】
しかしながら、これらの従来の着信履歴データの保存方法では、携帯電話をなくしてしまった時や、機種交換をした時等に、データを移行することができないため、データを失ってしまう恐れがあるという問題がある。
【０００７】
また、従来の着信履歴データの保存方法では、着信履歴として残った履歴が上書きされてしまうことがあるという問題がある。
【０００８】
そこで、本発明の目的は上記の問題点を解消し、着信履歴として残った履歴を新しい履歴データに上書きされて消されてしまっても、その履歴データを確認することができる通信端末装置及びそれに用いる着信・受信履歴データ保護方法並びにそのプログラムを提供することにある。
【０００９】
【課題を解決するための手段】
本発明による通信端末装置は、着信の履歴データを内部メモリに格納する通信端末装置であって、前記着信時に前記内部メモリの蓄積件数が予め設定した特定件数か否かを判定する手段と、前記内部メモリの蓄積件数が前記特定件数と判定した時に前記履歴データを予め配設された他の記憶装置に格納する手段とを備えている。
【００１０】
本発明による着信・受信履歴データ保護方法は、着信の履歴データを内部メモリに格納する通信端末装置の着信・受信履歴データ保護方法であって、前記着信時に前記内部メモリの蓄積件数が予め設定した特定件数か否かを判定するステップと、前記内部メモリの蓄積件数が前記特定件数と判定した時に前記履歴データを予め配設された他の記憶装置に格納するステップとを備えている。
【００１１】
本発明による着信・受信履歴データ保護方法のプログラムは、着信の履歴データを内部メモリに格納する通信端末装置の着信・受信履歴データ保護方法のプログラムであって、コンピュータに、前記着信時に前記内部メモリの蓄積件数が予め設定した特定件数か否かを判定する処理と、前記内部メモリの蓄積件数が前記特定件数と判定した時に前記履歴データを予め配設された他の記憶装置に格納する処理とを実行させている。
【００１２】
すなわち、本発明の通信端末装置は、従来、履歴データが内蔵メモリの容量を越えた場合に、古いものから削除またはユーザが削除することによってデータが消えてしまっているのを、着信があった時（何件か蓄積した時、メモリ容量の残りが少なくなった時）に履歴データをＰＣ（パーソナルコンピュータ）等の外部記憶装置に転送し、通信端末の履歴データが消えてしまった後でも、外部記憶装置に履歴データとして残すことを可能としている。
【００１３】
これによって、本発明の通信端末装置では、着信履歴として残った履歴を新しい履歴データに上書きされて消されてしまった場合でも、その履歴データを確認することが可能となる。
【００１４】
【発明の実施の形態】
次に、本発明の実施例について図面を参照して説明する。図１は本発明の一実施例による移動通信システムの構成例を示すブロック図である。図１において、本発明の一実施例による移動通信システムはＰＣ（パーソナルコンピュータ）２と、ネットワークサーバ３−１，３−２と、交換局４−１〜４−３とが接続される通信事業者内ネットワーク１００と、ネットワークサーバ３−３，３−４が接続されるインタネット等のネットワーク２００とを含んで構成され、交換局４−１〜４−３各々には基地局５−１〜５−９が接続されている。端末１は基地局５−１〜５−９と交換局４−１〜４−３とを介して通信事業者内ネットワーク１００に接続される。
【００１５】
図２は図１の端末１の構成を示すブロック図である。図２において、端末１は基地局５−１〜５−９と通信するためのアンテナ１１及び無線部１２と、メール等で基地局５−１〜５−９から交換局４−１〜４−３を経て通信事業者内ネットワーク１００に接続されているネットワークサーバ３−１，３−２へ高速通信の転送を行う転送部１３と、基地局５−１〜５−９との送受信や端末１内の各部を制御する制御装置１４と、着信履歴を保持するための書換え可能な記憶装置部（＃１）１５と、端末１の各部の動作をコンピュータ（図示せず）で実現するためのプログラムを格納する記録媒体１６とから構成されている。
【００１６】
図３は図１のＰＣ２の構成を示すブロック図である。図３において、ＰＣ２はネットワークサーバ３−１，３−２によって転送されたデータを受信する（ダウンロードする）部分としてネットワークに接続するためのネットワーク接続部である入力装置２１と、ＰＣ２内の各部及びネットワークサーバ３−１，３−２によって転送されたデータを格納する記憶装置部（＃２）６１を含む外部記憶装置６の制御を行う制御部２２と、上記のデータを出力する出力装置２３とを含んで構成されている。
【００１７】
図１に示すように、基地局５−１〜５−９から着信があると、端末１内でその発信者が番号通知ＯＮの時の電話番号、着信した時の時間、電話番号から電話帳を検索し、該当者があれば、その名前を着信履歴データとして端末１内で着信履歴データＡを生成し、制御装置１４によって着信履歴を保持するための書換え可能な記憶装置部（＃１）１５（保存件数Ｍ件）に格納する。
【００１８】
格納された着信履歴データＡは無線部１２を経て転送部１３に渡され、転送部１３によって通信事業者内ネットワーク１００に接続されているネットワークサーバ３−１，３−２へ転送し、ＰＣ２を通して外部記憶装置６の記憶装置部（＃２）６１に転送されて格納されるとともに、転送された履歴データが出力装置２３から出力される。
【００１９】
ここで、端末１内で生成された着信履歴データＡを記憶装置部（＃１）１５に格納するまでの処理の流れを図４に示す。尚、図４に示す処理動作は記録媒体１６のプログラムを制御装置１４（コンピュータ）が実行することで実現される。
【００２０】
制御装置１４は着信履歴データＡを生成すると（図４ステップＳ１）、記憶装置部（＃１）１５の保存件数がＭ件未満の時（図４ステップＳ２）、生成した着信履歴データＡを記憶装置部（＃１）１５に格納する（図４ステップＳ６）。
【００２１】
また、制御装置１４は記憶装置部（＃１）１５の保存件数がＭ件の時（図４ステップＳ２）、記憶装置部（＃１）１５に保存されているＭ件分の着信履歴データを無線部１２及び転送部１３を介してネットワークサーバ３−１，３−２へ転送する（図４ステップＳ３）。ネットワークサーバ３−１，３−２は転送されてきたＭ件分の着信履歴データをＰＣ２を通して外部記憶装置６の記憶装置部（＃２）６１に格納する　（図４ステップＳ４）。
【００２２】
制御装置１４は記憶装置部（＃１）１５のＭ件のデータをネットワークサーバ３−１，３−２に転送すると、記憶装置部（＃１）１５内のＭ件のデータを全てクリアし（図４ステップＳ５）、ステップＳ１の処理に戻る。
【００２３】
このように、本実施例では、着信があった時［何件か蓄積した時、記憶装置部（＃１）１５の容量の残りが少なくなった時］に記憶装置部（＃１）１５内の着信履歴データをネットワークサーバ３−１，３−２及びＰＣ２を通して外部記憶装置６に転送して格納することで、着信履歴として残った履歴が新しい着信履歴データで上書きされて消されてしまった場合でも、その履歴を外部記憶装置６にて確認することができる。
【００２４】
本実施例では、端末１の記憶装置部（＃１）１５の取外しができない場合について述べたが、ＣＤ−　ＲＯＭ（Ｃｏｍｐａｃｔ　Ｄｉｓｋ−Ｒｅａｄ　ＯｎｌｙＭｅｍｏｒｙ）やメモリカードといった取外し可能な記憶装置部とすることで、ネットワークサーバ３−１，３−２を介すことなく、ＰＣ２等によって記憶装置部（＃２）に直接読込ませることも可能となる。
【００２５】
また、本実施例では、端末１内に記憶装置部（＃１）１５のみを配置しているが、端末１内に上記の記憶装置部（＃２）を他の記憶エリアとして配置することも可能であり、この場合には記憶装置部（＃１）１５にＭ件分の履歴があり、ネットワークサーバ３−１，３−２に転送することができない状況下においても、転送することができない着信履歴データを記憶装置部（＃２）に格納することができる。
【００２６】
【発明の効果】
以上説明したように本発明は、着信の履歴データを内部メモリに格納する通信端末装置において、着信時に内部メモリの蓄積件数が予め設定した特定件数と判定した時に履歴データを予め配設された他の記憶装置に格納することによって、着信履歴として残った履歴を新しい履歴データに上書きされて消されてしまっても、その履歴データを確認することができるという効果が得られる。
【図面の簡単な説明】
【図１】本発明の一実施例による移動通信システムの構成例を示すブロック図である。
【図２】図１の端末の構成を示すブロック図である。
【図３】図１のＰＣの構成を示すブロック図である。
【図４】図１の端末内で生成された着信履歴データを記憶装置部（＃１）に格納するまでの処理の流れを示すフローチャートである。
【符号の説明】
１　端末
２　ＰＣ
３−１〜３−４　ネットワークサーバ
４−１〜４−３　交換局
５−１〜５−９　基地局
６　外部記憶装置
１１　アンテナ
１２　無線部
１３　転送部
１４　制御装置
１５　記憶装置部（＃１）
１６　記録媒体
２１　入力装置
２２　制御部
２３　出力装置
６１　記憶装置部
１００　通信事業者内ネットワーク
２００　ネットワーク
【図１】
2004080225.tif 000003
【図２】
2004080225.tif 000004
【図３】
2004080225.tif 000005
【図４】
2004080225.tif 000006